(57)【特許請求の範囲】
【請求項１】
リール本体と、
周方向に延びる溝部を有し、前記リール本体から第１方向に延びるスプール軸と、
前記スプール軸が貫通する貫通孔を有し、前記スプール軸上において前記溝部よりも前記リール本体側に位置する保持部材と、
少なくとも一部が径方向の外側に突出するように前記溝部内に配置され、前記保持部材の前記第１方向への移動を規制するように構成された規制部材と、
前記保持部材の外周面上に取り付けられる軸受部材と、
前記軸受部材によって回転可能に支持されるスプールと、
を備え、
前記規制部材は、前記第１方向を向く面において前記スプールと非接触であり、前記第１方向と反対方向を向く面において前記保持部材の前記第１方向への移動を規制する、
スピニングリール。
【請求項２】
前記規制部材は、Ｃ字状である、
請求項１に記載のスピニングリール。
【請求項３】
前記規制部材は、弾性を有する、
請求項１又は２に記載のスピニングリール。
【請求項４】
前記保持部材は、筒状である、
請求項１から３のいずれかに記載のスピニングリール。
【請求項５】
前記保持部材は、前記スプール軸と相対回転不能である、
請求項１から４のいずれかに記載のスピニングリール。
【請求項６】
前記規制部材は、線条部材から構成される、
請求項１から５のいずれかに記載のスピニングリール。
【発明の詳細な説明】
【技術分野】
【０００１】
本発明は、スピニングリールに関するものである。
【背景技術】
【０００２】
スピニングリールは、リール本体と、リール本体から延びるスプール軸と、スプールと、ロータとを備えている。スプールは、スプール軸に対して、軸受部材を介して取り付けられている（例えば特許文献１）。ドラグ機構によるドラグ力を弱めることによって、スプールは、スプール軸に対して回転可能となる。
【０００３】
軸受部材は、スプール軸に取り付けられた筒状の保持部材に取り付けられている。この保持部材は、径方向に貫通する貫通孔を有している。また、保持部材の貫通孔と連通するねじ孔がスプール軸に形成されている。この貫通孔とねじ孔とを固定ピンが貫通することによって、スプール軸に対する保持部材の軸方向の移動が規制される。
【先行技術文献】
【特許文献】
【０００４】
【特許文献１】特開２００２−２０４６４０号公報
【発明の概要】
【発明が解決しようとする課題】
【０００５】
上述したように、保持部材をスプール軸に取り付ける際、保持部材の貫通孔と、スプール軸のねじ孔とを位置合わせする必要があり、生産効率がよくない。
【０００６】
本発明の課題は、効率的に生産することのできるスピニングリールを提供することにある。
【課題を解決するための手段】
【０００７】
本発明のある側面に係るスピニングリールは、リール本体と、スプール軸と、保持部材と、規制部材と、軸受部材と、スプールとを備えている。スプール軸は、周方向に延びる溝部を有する。スプール軸は、リール本体から第１方向に延びる。保持部材は、スプール軸が貫通する貫通孔を有する。保持部材は、スプール軸上において溝部よりもリール本体側に位置する。規制部材は、少なくとも一部が径方向の外側に突出するように溝部内に配置される。規制部材は、保持部材の第１方向への移動を規制するように構成されている。軸受部材は、保持部材の外周面上に取り付けられる。スプールは、軸受部材によって回転可能に支持される。
【０００８】
この構成によれば、規制部材が径方向の外側に突出しているため、保持部材が前方に移動することを規制することができる。このため、保持部材をスプール軸に取り付ける際に、位置合わせする必要が無く、この結果、スピニングリールを効率的に生産することができる。
【０００９】
好ましくは、規制部材は、Ｃ字状である。
【００１０】
好ましくは、規制部材は、弾性を有する。
【００１１】
好ましくは、保持部材は、筒状である。
【発明の効果】
【００１２】
本発明によれば、スピニングリールを効率的に生産することができる。
【図面の簡単な説明】
【００１３】
【図１】スピニングリールの側面図。
【図２】スピニングリールの断面図。
【図３】スプールの正面図。
【図４】図３のＤ−Ｄ線断面図。
【図５】図４の拡大図。
【図６】保持部材の斜視図。
【図７】規制部材の斜視図。
【発明を実施するための形態】
【００１４】
以下、本発明に係るスピニングリールの実施形態について図面を参照しつつ説明する。図１はスピニングリールの側面図であり、図２はスピニングリールの断面図である。なお、以下の説明において、「前」とは釣糸を繰り出す方向を示し、具体的には図１及び図２の左が「前」である。また、軸方向とは、スプール軸が延びる方向を意味する。
【００１５】
図１に示すように、スピニングリール１００は、釣糸を前方に繰り出す。スピニングリール１００は、リール本体１１０、ロータ１２０、スプール１３０、及びハンドル１４０を備えている。また、図２に示すように、スピニングリール１００は、駆動機構１５０、オシレーティング機構１６０、ピニオンギア１７０、及びスプール軸１８０をさらに備えている。
【００１６】
図１に示すように、リール本体１１０は、ケース部１１１と、蓋部１１２とを有している。蓋部１１２は、ケース部１１１に対して取り外し可能である。また、ケース部１１１は、前後方向に延びる装着部１１３を有している。装着部１１３は、釣竿に装着される部分である。
【００１７】
図２に示すように、リール本体１１０は、ケース部１１１と蓋部１１２とによって画定される内部空間を有しており、内部空間内に種々の機構を収容している。詳細には、駆動機構１５０、及びオシレーティング機構１６０がリール本体１１０内に収容されている。
【００１８】
駆動機構１５０は、駆動軸１５１、及び駆動ギア１５２を備えている。駆動軸１５１は、ハンドル軸１４１と連結されており、ハンドル軸１４１と一体的に回転する。
【００１９】
駆動ギア１５２は駆動軸１５１に連結されており、駆動軸１５１と一体的に回転する。駆動ギア１５２は、フェースギアであり、ピニオンギア１７０のギア部１７１と噛み合っている。リール本体１１０の側面に装着されたハンドル１４０を回転させることによって、駆動軸１５１及び駆動ギア１５２が回転し、ピニオンギア１７０も回転する。
【００２０】
スプール軸１８０は、リール本体１１０から第１方向に延びている。詳細には、スプール軸１８０は、リール本体１１０内から前方に延びている。スプール軸１８０は、ハンドル１４０を回転させることによって、前後方向に往復移動する。詳細には、ハンドル１４０の回転が、駆動ギア１５２を介して、ピニオンギア１７０を回転させる。このピニオンギア１７０の回転に伴い、オシレーティング機構１６０がスプール軸１８０を前後方向に往復移動させる。
【００２１】
図３はスプールの正面図、図４は図３のＤ−Ｄ線断面図、図５は図４の拡大図である。なお、図３はドラグつまみ５１が取り外された状態を示している。図５に示すように、スプール軸１８０は、溝部１８１を有している。この溝部１８１は、周方向に延びる。すなわち、溝部１８１は、スプール軸１８０の外周面上に環状に形成されている。
【００２２】
図３〜５に示すように、スプール軸１８０は、その前部において、互いに平行に延びる一対の取り付け面１８２を有している。各取り付け面１８２は、平坦な面であって、軸方向に延びている。なお、上述した溝部１８１は、各取り付け面１８２には形成されていないが、特にこれに限定されない。すなわち、溝部１８１は、各取り付け面１８２に形成されていてもよい。
【００２３】
図２に示すように、スプール１３０は、釣糸が巻きつけられる部材である。スプール１３０は、後述するように、スプール軸１８０の先端部に軸受部材４（図４参照）などを介して支持されている。スプール１３０は、スプール軸１８０と一体的に前後方向に往復移動する。
【００２４】
ピニオンギア１７０は、リール本体１１０に設けられている。詳細には、ピニオンギア１７０は、リール本体１１０内から前方に延びている。ピニオンギア１７０は、スプール軸１８０周りに回転可能に配置されている。ピニオンギア１７０は筒状に形成されており、ピニオンギア１７０の内部をスプール軸１８０が延びている。なお、ピニオンギア１７０は複数の軸受部材を介してリール本体１１０に支持されている。
【００２５】
ロータ１２０は、スプール１３０に釣糸を巻きつけるための部材である。ロータ１２０は、ピニオンギア１７０の前部に固定されており、ピニオンギア１７０と一体的に回転する。すなわち、ロータ１２０はピニオンギア１７０と相対回転不能である。
【００２６】
ロータ１２０は、ロータ本体部１２１と、第１及び第２ロータアーム１２２，１２３とを備えている。ロータ本体部１２１は、円筒状である。第１及び第２ロータアーム１２２、１２３は、ロータ本体部１２１の外周面から前方に向かって延びている。第１ロータアーム１２２と第２ロータアーム１２３とは、ロータ本体部１２１の周方向において、反対側の位置に配置されている。
【００２７】
図４に示すように、スピニングリール１００は、保持部材２と、規制部材３と、軸受部材４と、をさらに備えている。また、スピニングリール１００は、ワッシャ５、及び受け部材６などもさらに備えている。
【００２８】
保持部材２は、筒状であり、貫通孔２４を有している。この貫通孔２４をスプール軸１８０が貫通する。すなわち、保持部材２は、径方向において、スプール軸１８０を囲むように配置されている。
【００２９】
図５に示すように、保持部材２は、スプール軸１８０上において溝部１８１よりもリール本体１１０側に位置する。すなわち、保持部材２は、軸方向において、溝部１８１の後方に位置する。
【００３０】
図６は、保持部材２の斜視図である。図６に示すように、保持部材２は、円筒状の保持本体部２１と、フランジ部２２とを有している。フランジ部２２は、保持本体部２１から径方向の外側に突出している。フランジ部２２は、円板状である。保持本体部２１とフランジ部２２とは、１つの部材によって形成されている。
【００３１】
保持本体部２１は、前部２１ａ、中央部２１ｂ、及び後部２１ｃを有している。前部２１ａ、中央部２１ｂ、及び後部２１ｃは、軸方向において、前方からこの順で配置されている。前部２１ａの外径は、中央部２１ｂの外径よりも大きく、後部２１ｃの外径よりも小さい。
【００３２】
図４に示すように、保持部材２の外周面上には、軸受部材４が取り付けられている。詳細には、保持本体部２１の後部２１ｃに軸受部材４が取り付けられている。なお、この軸受部材４が、本発明の軸受部材に相当する。
【００３３】
スプール１３０は、軸受部材４によって回転可能に支持されている。すなわち、スプール１３０は、軸受部材４を介して、保持部材２に支持されている。
【００３４】
図６に示すように、保持部材２は、対向する一対の対向面２３を有する。一対の対向面２３は、互いに平行に延びている。この対向面２３は、スプール軸１８０の取り付け面１８２と係合する。このため、保持部材２は、スプール軸１８０と相対回転不能である。
【００３５】
図４に示すように、保持本体部２１の中央部２１ｂには、少なくとも１つのワッシャ５が取り付けられている。ワッシャ５は、円板状であって、中央に非円形の貫通孔を有している。このワッシャ５の貫通孔を、保持本体部２１が貫通している。
【００３６】
受け部材６は、スプール軸１８０に固定されている。受け部材６は、円板状である。保持部材２は、受け部材６と接触することによって、後方への移動が規制される。すなわち、保持部材２は、リール本体１１０側への移動を受け部材６によって規制されている。
【００３７】
本実施形態に係るスピニングリール１００は、保持部材２とスプール軸１８０とを径方向に貫通する固定ピンを備えていない。すなわち、保持部材２は、径方向に延びる貫通孔を有していない。また、スプール軸１８０は、固定ピンが貫通するねじ孔を有していない。
【００３８】
規制部材３は、保持部材２の第１方向への移動を規制するように構成されている。すなわち、規制部材３は、保持部材２の前方への移動を規制するように構成されている。規制部材３は、スプール軸１８０の溝部１８１内に配置されている。
【００３９】
規制部材３が溝部１８１内に配置された状態において、規制部材３の少なくとも一部が径方向の外側に突出している。詳細には、周方向において、規制部材３の一部が溝部１８１内に配置され、規制部材３の他の部分が溝部１８１から径方向の外側に突出する。この規制部材３の突出部分が、保持部材２の前面と当接するように構成されている。この規制部材３の突出部分が保持部材２の前面と当接することによって、保持部材２が前方に移動することを規制することができる。なお、軸方向視において、規制部材３の少なくとも一部は、保持部材２の貫通孔２４よりも径方向の外側に位置する。
【００４０】
図７に示すように、規制部材３は、環状である。詳細には、規制部材３は、隙間部３１を有する環状である。すなわち、規制部材３は、一部が途切れた環状であって、実質的にＣ型のリングである。本実施形態に係る規制部材３は多角形状であるが、規制部材３は円形状であってもよい。
【００４１】
規制部材３は、弾性を有している。このため、スプール軸１８０に取り付けるために規制部材３の径を広げても、規制部材３をスプール軸１８０に取り付け終わると元の径に戻ろうとする弾性力が働く。
【００４２】
本実施形態に係るスピニングリール１００によれば、規制部材３がスプール軸１８０の溝部１８１から外側に突出しているため、保持部材２が前方に移動することを規制することができる。このため、保持部材２をスプール軸１８０に取り付ける際に、位置合わせする必要が無く、その結果、スピニングリール１００を効率的に生産することができる。
【００４３】
［変形例］
以上、本発明の実施形態について説明したが、本発明はこれらに限定されるものではなく、本発明の趣旨を逸脱しない限りにおいて種々の変更が可能である。
【００４４】
変形例１
上記実施形態では、規制部材３は、保持部材２と接触しているが、特にこれに限定されない。例えば、軸方向において、規制部材３と保持部材２との間において、他の部材が配置されていてもよい。この場合であって、規制部材３は、他の部材を介して、保持部材２の第１方向への移動を規制することができる。
【００４５】
変形例２
規制部材３は、保持部材２の第１方向への移動を規制することができればよく、その形状は特に限定されない。例えば、規制部材３は、環状でなくてもよい。
【００４６】
変形例３
上記実施形態では、１つの軸受部材４が保持部材２に取り付けられているが、２つ以上の軸受部材が保持部材２に取り付けられていてもよい。すなわち、スプール１３０が、２つの軸受部材を介して、保持部材２に回転可能に支持されていてもよい。例えば、１つの軸受部材が保持部材２の前部２１ａに取り付けられており、別の軸受部材が保持部材２の後部２１ｃに取り付けられていてもよい。
【符号の説明】
【００４７】
２    保持部材
２４    貫通孔
３    規制部材
４    軸受部材
１１０    リール本体
１３０    スプール
１８０    スプール軸
１８１    溝部
【図１】
0006392602.tif 000002
【図２】
0006392602.tif 000003
【図３】
0006392602.tif 000004
【図４】
0006392602.tif 000005
【図５】
0006392602.tif 000006
【図６】
0006392602.tif 000007
【図７】
0006392602.tif 000008